(57)【特許請求の範囲】
【請求項１】
電極を有する複数の単電池を並べて接続した電池モジュールに取り付けられるコネクタ装着構造であって、
前記複数の単電池の前記電極に接続されたワイヤハーネスの端末に設けられた電線側コネクタと、
前記電線側コネクタと嵌合可能であってコネクタ保持部を介して前記電池モジュールの一面に配される機器側コネクタと、が具備され、
かつ、前記コネクタ保持部は、前記機器側コネクタがその嵌合面を前方に向けて前記電池モジュールの前記一面に沿った姿勢に配される装着位置と、前記機器側コネクタが前記一面と交差した姿勢を採って前記嵌合面が前記一面から離間した位置に配される嵌合位置と、の間で揺動可能に設けられているコネクタ装着構造。
【請求項２】
前記コネクタ保持部は、前記機器側コネクタの後方に配された軸を中心として前記装着位置と前記嵌合位置との間で揺動可能に設けられている請求項１に記載のコネクタ装着構造。
【請求項３】
前記コネクタ保持部は、前記機器側コネクタの側方に配された軸を中心として前記装着位置と前記嵌合位置との間で揺動可能に設けられている請求項１に記載のコネクタ装着構造。
【請求項４】
前記電池モジュールから引き出されたワイヤハーネスが挿通され前記電池モジュールの前記一面に配される樹脂プロテクタが設けられ、前記樹脂プロテクタにはヒンジを介して開閉可能な蓋部が設けられており、前記蓋部が、前記機器側コネクタが保持された前記コネクタ保持部である請求項１ないし請求項３のいずれか一項に記載のコネクタ装着構造。
【請求項５】
前記樹脂プロテクタが、平板状のベースと、同ベースに着脱可能に被着されるカバーとから構成され、前記カバーに前記蓋部が開閉可能に設けられている請求項４に記載のコネクタ装着構造。
【請求項６】
前記蓋部には、同蓋部を閉鎖状態にロックし、かつロック解除可能なロック部が設けられている請求項４または請求項５に記載のコネクタ装着構造。
【発明の詳細な説明】
【技術分野】
【０００１】
本明細書によって開示される技術は、互いに嵌合された一対のコネクタを機器の一面上に配して装着する構造に関する。
【背景技術】
【０００２】
電気自動車やハイブリッド車では、複数の単電池を並べて接続した電池モジュールが使用され、電池モジュールには、各単電池の電圧を検知する手段が設けられている（下記特許文献１参照）。電圧検知手段は概ね、各単電池の電極に接続した電圧検知線を纏めたハーネスを、制御ユニットに対してコネクタを介して接続する構造となっている。
【０００３】
この種の電池モジュールにおいても、電圧検知手段を含めて全体をコンパクトに纏めることが要望されている。一例として、電池モジュールの上面に制御ユニットを装備する一方、同制御ユニットからハーネスを引き出してその端末に接続した機器側コネクタを、電池モジュールの側面等の所定の装着面に配し、同装着面上の機器側コネクタに対して、電圧検知線のハーネスの端末に接続された電線側コネクタを嵌合する構造のものが提案されている。
【先行技術文献】
【特許文献】
【０００４】
【特許文献１】特開２０１１−９１００３号公報
【発明の概要】
【発明が解決しようとする課題】
【０００５】
一方、電池モジュールの種類によっては、装着面の端縁等に、組み付け用や補強用のフレームが張り出して配されている場合があり、その場合は、機器の装着面において電線側コネクタの嵌合スペースが採れないことがある。その対策として、機器側コネクタを外して装着面から離した状態で相手の電線側コネクタと嵌合したのち、改めて装着面に装着することが考えられるが、ハーネスの余長を収納することも含めてコネクタの嵌合、装着の作業に手間が掛かることは避けられない。
本明細書によって開示される技術は上記のような事情に基づいて完成されたものであって、その目的は、コネクタの装着作業を簡単に留めつつコネクタの装着部分のコンパクト化を図るところにある。
【課題を解決するための手段】
【０００６】
本明細書によって開示されるコネクタ装着構造は、電極を有する複数の単電池を並べて接続した電池モジュールに取り付けられるコネクタ装着構造であって、前記複数の単電池の前記電極に接続されたワイヤハーネスの端末に設けられた電線側コネクタと、前記電線側コネクタと嵌合可能であってコネクタ保持部を介して前記電池モジュールの一面に配される機器側コネクタと、が具備され、かつ、前記コネクタ保持部は、前記機器側コネクタがその嵌合面を前方に向けて前記電池モジュールの前記一面に沿った姿勢に配される装着位置と、前記機器側コネクタが前記一面と交差した姿勢を採って前記嵌合面が前記一面から離間した位置に配される嵌合位置と、の間で揺動可能に設けられている構成である。
【０００７】
コネクタ同士を嵌合する場合は、コネクタ保持部を嵌合位置に揺動させて機器側コネクタを電池モジュールの一面と交差した姿勢にしつつ、その嵌合面を電池モジュールの一面から離間した位置に持ち来し、一面の手前側のスペースを利用して、機器側コネクタに対して相手の電線側コネクタを嵌合する。両コネクタが嵌合されたのち、コネクタ保持部を装着位置に揺動させると、両コネクタが嵌合された状態で電池モジュールの一面に沿って配される。
コネクタの嵌合、装着作業を簡単に留めつつコネクタの装着部分のコンパクト化を図ることができる。
【０００８】
また、以下のような構成としてもよい。
前記コネクタ保持部は、前記機器側コネクタの後方に配された軸を中心として前記装着位置と前記嵌合位置との間で揺動可能に設けられている。
コネクタ保持部を比較的小さな揺動角度で揺動させることにより、両コネクタを嵌合可能な嵌合位置に持ち来すことができる。両コネクタを嵌合させるための機器の一面の手前側のスペースを小さく留めることができる。
【０００９】
前記コネクタ保持部は、前記機器側コネクタの側方に配された軸を中心として前記装着位置と前記嵌合位置との間で揺動可能に設けられている。
機器側コネクタに機器から引き出されたワイヤハーネスが接続されている場合、同ワイヤハーネスの余長が短く留められる。
【００１０】
前記電池モジュールから引き出されたワイヤハーネスが挿通され前記電池モジュールの前記一面に配される樹脂プロテクタが設けられ、前記樹脂プロテクタにはヒンジを介して開閉可能な蓋部が設けられており、前記蓋部が、前記機器側コネクタが保持された前記コネクタ保持部である。
蓋部の開閉に伴い嵌合位置と装着位置との間の揺動が達成される。コネクタの嵌合、装着部分の構造がシンプルに纏められる。
【００１１】
前記樹脂プロテクタが、平板状のベースと、同ベースに着脱可能に被着されるカバーとから構成され、前記カバーに前記蓋部が開閉可能に設けられている。
ベースとカバーとが分割できることで、ワイヤハーネスの挿通と、機器側コネクタの蓋部への装着動作を能率良く行うことができる。
【００１２】
前記蓋部には、同蓋部を閉鎖状態にロックし、かつロック解除可能なロック部が設けられている。
ロック解除して蓋部を開放することで両コネクタの嵌合が可能となり、蓋部を閉鎖してロックすることにより、嵌合された両コネクタが機器の一面に沿って装着された状態となる。
【００１３】
本明細書によって開示されるコネクタ装着方法は、ワイヤハーネスの端末に設けられた電線側コネクタと、前記電線側コネクタと嵌合可能であってコネクタ保持部を介して機器の一面に配される機器側コネクタと、が具備され、かつ、前記コネクタ保持部は、前記機器側コネクタがその嵌合面を前方に向けて前記機器の前記一面に沿った姿勢に配される装着位置と、前記機器側コネクタが前記一面と交差した姿勢を採って前記嵌合面が前記一面から離間した位置に配される嵌合位置と、の間で移動可能に設けられており、前記コネクタ保持部を前記嵌合位置に揺動させた状態で前記機器側コネクタに前記電線側コネクタを嵌合し、その後に前記コネクタ保持部を前記装着位置に揺動させる構成である。
【発明の効果】
【００１４】
本明細書によって開示される技術によれば、コネクタの装着作業を簡単に留めつつコネクタの装着部分のコンパクト化を図ることができる。
【図面の簡単な説明】
【００１５】
【図１】実施形態に係るブラケットにＥＣＵ側ハーネス体が装着された状態の斜視図
【図２】同正面図
【図３】同平面図
【図４】同側面図
【図５】ＥＣＵ側ハーネス体の組付前の状態を示す斜視図
【図６】同正面図
【図７】同背面図
【図８】同側面図
【図９】図６のIX−IX線拡大断面図
【図１０】ＥＣＵ側ハーネス体の背面図
【図１１】機器側コネクタを嵌合位置に揺動させた状態の一部切欠斜視図
【図１２】同正面図
【図１３】同平面図
【図１４】同側面図
【図１５】図１２のXV−XV線拡大断面図
【図１６】図１２のXVI−XVI線拡大断面図
【図１７】機器側コネクタに電線側コネクタを嵌合した状態の斜視図
【図１８】同平面図
【図１９】コネクタ嵌合後にブラケット上に装着された状態の斜視図
【図２０】同正面図
【図２１】同平面図
【発明を実施するための形態】
【００１６】
＜実施形態＞
以下、電池パックＢＰにおけるコネクタの装着部分に適用した一実施形態について、図１ないし図２１に基づいて説明する。
本実施形態の電池パックＢＰは、図２０に示すように、複数の単電池を並べて接続した電池モジュール１０が２段に積み上げられるとともに、上段の電池モジュール１０Ａの上面に、各単電池の電圧等を管理、制御するＥＣＵ１３（Electronic Control Unit）が装着された構造となっている。
【００１７】
電圧検知部分の構造の概略は、同図に示すように、各電池モジュール１０Ａ，１０Ｂから引き出された電池側ハーネス体２０Ａ，２０Ｂにそれぞれ設けられた電線側コネクタ２５と、ＥＣＵ１３に接続されたＥＣＵ側ハーネス体３０に設けられた機器側コネクタ４５とが、上下の電池モジュール１０Ａ，１０Ｂに亘る手前側の側面１１上において、互いに嵌合された形態で装着されるようになっている。
【００１８】
電線側コネクタ２５と機器側コネクタ４５との嵌合並びに装着構造について説明する。
上下の電池モジュール１０Ａ，１０Ｂに亘る側面１１には、同じく図２０に示すように、両電池モジュール１０Ａ，１０Ｂを結合する等に機能するブラケット１５が設けられている。このブラケット１５は概ね縦長の浅皿状に形成され、上部１５Ａ（以下、上部ブラケット１５Ａ）と、下部１５Ｂ（以下、下部ブラケット１５Ｂ）とで、中心幅位置が左右方向に半幅弱オフセットして繋がった形状をなしている。ブラケット１５の上端面は全幅が開口され、下端面は、正面視で右端部が開口されている。このブラケット１５の底面１９が、本明細書開示技術の「電池モジュールの一面」に相当する。
【００１９】
電池側ハーネス体２０を説明する。電池側ハーネス体２０は、上下の電池モジュール１０Ａ，１０Ｂについて１本ずつが備えられている。詳細には、電池モジュール１０Ａ，１０Ｂを構成する各単電池の電極等に接続されて引き出された複数の電圧検知線が一纏めにされ、そのハーネス（図示せず）が樹脂プロテクタ２１に挿通されている。樹脂プロテクタ２１は、不織布等を圧縮成形することで可撓性を有する筒状に形成されており、ただし先端部には、圧縮度合いを高くすることで硬質部が形成されている。
一方、それぞれのハーネスの端末には、雌側の電線側コネクタ２５（２個の雌ハウジング２６が並列されて構成）が接続されており、同電線側コネクタ２５が、樹脂プロテクタ２１の先端の硬質部に装着されている。
【００２０】
上段の電池モジュール１０Ａの電池側ハーネス体２０Ａは、同電池モジュール１０Ａの上面から、ブラケット１５における上部ブラケット１５Ａの底面１９Ａに沿って垂下するように屈曲されて配索される。同電池側ハーネス体２０Ａの垂下端に設けられた電線側コネクタ２５は、上部ブラケット１５Ａの底面１９Ａ上において、その嵌合面が、図２０の右側を向いた姿勢を採るようになっている。
下段の電池モジュール１０Ｂの電池側ハーネス体２０Ｂは、同電池モジュール１０Ｂの下面から、下部ブラケット１５Ｂの底面１９Ｂに沿って立ち上がるように屈曲されて配索される。同電池側ハーネス体２０Ｂの立ち上がり端に設けられた電線側コネクタ２５は、下部ブラケット１５Ｂの底面１９Ｂ上において、その嵌合面が、同図の左側を向いた姿勢を採るようになっている。
【００２１】
次に、ＥＣＵ側ハーネス体３０について説明する。ＥＣＵ側ハーネス体３０は、図１ないし図３に示すように、上記の２本の電池側ハーネス体２０Ａ，２０Ｂが共通して接続される単一のものであり、ＥＣＵ１３に接続されて引き出される長短２本のハーネス（図示せず）と、両ハーネスを挿通する樹脂プロテクタ３１と、各ハーネスの端末に接続された機器側コネクタ４５とを備えて構成されている。
ＥＣＵ側ハーネス体３０は、図２に示すように、ブラケット１５における上部ブラケット１５Ａの底面１９Ａの右側縁寄りに沿って垂下し、左斜め下に屈曲されたのち下部ブラケット１５Ｂの底面１９Ｂの左側縁寄りに沿って垂下するようにして配される。
【００２２】
樹脂プロテクタ３１は、全体として断面方形の筒形に形成されており、同図に示すように、上部ブラケット１５Ａの底面１９Ａ上で右側面に沿って配される幅広の上部挿通部３２Ａと、下部ブラケット１５Ｂの底面１９Ｂ上で左側面に沿って配される幅狭の下部挿通部３２Ｂと、上部挿通部３２Ａの下縁から左側に突出したのち、左斜め下に延出して下部挿通部３２Ｂの上端に連通した連絡部３３と、から構成されている。
【００２３】
樹脂プロテクタ３１は概ね、平板状のベース３５に対し断面門形をなすカバー３６が被着されることで、上記した方形筒状に形成されるようになっており、図５ないし図８に示すように、カバー３６については、上部挿通部３２Ａから下部挿通部３２Ｂに亘って一体的に形成されている一方、ベース３５については、上部挿通部３２Ａと連絡部３３との繋ぎ目で分割されている。
【００２４】
より詳細には、上部カバー３６Ａでは、図７及び図１１に示すように、下端寄りの所定の高さ領域において、天面が切除されて開口部３７Ａが形成されている。さらに、同高さ領域において図７の右側面が開口され、同開口面には、図１１に示すように、左右方向に開口した溝形をなす収納板３８が、内方（図７の左方）に張り出すようにして形成されている。一方、上部ベース３５Ａには、上記の収納板３８の底面を嵌めて逃がす切欠部３９が形成されている。上部カバー３６Ａの上端面は、全幅に亘って開口されている。
【００２５】
下部カバー３６Ｂでは、図７に示すように、略全高に亘って天面が開口されている（開口部３７Ｂ）。併せて左側面が開口され、同開口面には左右方向に開口した溝形をなす収納板３８が、上記とは逆に、外方に張り出すようにして形成されている。下部カバー３６Ｂの上端部には、連絡部カバー３６Ｃが連通して形成されているとともに、同下部カバー３６Ｂの下端面は閉鎖されている。
【００２６】
上部ベース３５Ａは、基端縁に設けられたヒンジ部４０Ａを介して、上部カバー３６Ａの開口面を開閉するべく揺動可能に形成されている。上部ベース３５Ａは、図５に示す開放状態から、同図の矢線Ｙに示す方向に揺動され、１８０°揺動されたところで、図１０に示すように、収納板３８が切欠部３９に嵌って逃がされつつ、上部ベース３５Ａが上部カバー３６Ａの開口面を閉鎖するようになっている。
そのとき、図１６に示すように、上部ベース３５Ａの揺動端の左右両側及び側縁部の３箇所に設けられた差込片４１が、上部カバー３６Ａの先端部の左右の外側面及び側縁に対応して設けられた差込凹部４２に挿入係止されることで、上部ベース３５Ａが閉鎖状態に保持される。これにより相対的に幅広の方形筒形をなす上部挿通部３２Ａが形成される。
【００２７】
下部ベース３５Ｂは、一体に形成された連絡部ベース３５Ｃに沿って設けられたヒンジ部４０Ｂを介して、下部カバー３６Ｂの開口面を開閉するべく揺動可能に形成されている。下部ベース３５Ｂは、図５に示す開放状態から、同図の矢線Ｘに示す方向に揺動され、１８０°揺動されたところで、図１０に示すように、連絡部ベース３５Ｃが連絡部カバー３６Ｃの開口面を閉鎖しつつ、下部ベース３５Ｂが下部カバー３６Ｂの開口面を閉鎖するようになっている。
そのとき、図７に示すように、下部ベース３５Ｂの揺動端と、連結部ベース３５との２箇所に設けられた差込片４１が、下部カバー３６Ｂの外側面と、連結部カバー３６Ｃとに対応して差込凹部４２に挿入係止されることで、下部ベース３５Ｂが閉鎖状態に保持される。これにより、図１０に示すように、相対的に幅狭の方形筒形をなす下部挿通部３２Ｂが連絡部３３ともども形成される。
【００２８】
詳しくは後記するが、上記したＥＣＵ１３から引き出される長短２本のハーネスのうち、長い方のハーネスは、樹脂プロテクタ３１における上部挿通部３２Ａ、連絡部３３及び下部挿通部３２Ｂに亘って挿通され、一方、短い方のハーネスは、長い方のハーネスとともに上部挿通部３２Ａのみに挿通されるようになっている。
【００２９】
機器側コネクタ４５の装着構造について説明する。機器側コネクタ４５は上下２個備えられ、それぞれ２個の雄ハウジング４６を並列した構造であって、図１５に示すように、上記した電線側コネクタ２５と嵌合可能な雄側のコネクタである。
樹脂プロテクタ３１の上部挿通部３２Ａを構成する上部カバー３６Ａには、既述したように天面に開口部３７Ａが形成されており、図２及び図１３に示すように、その開口部３７Ａを開閉する蓋部５０Ａ（コネクタ保持部に相当）が、同開口部３７Ａにおける図２の右側縁の設けられたヒンジ部５１を介して揺動可能に設けられている。蓋部５０Ａの揺動端の一部は、収納板３８の上方を通過してさらにその外側まで延びて形成されており、蓋部５０Ａの揺動端寄りの裏面には、一方の機器側コネクタ４５が、嵌合面４７を外方に向けた姿勢で装着されている。
【００３０】
下部挿通部３２Ｂを構成する下部カバー３６Ｂでは、既述したようにほぼ全長に亘る天面に開口部３７Ｂが形成され、その開口部３７Ｂを開閉する蓋部５０Ｂ（コネクタ保持部に相当）が、図２の左側縁に設けられたヒンジ部５１を介して揺動可能に設けられている。蓋部５０Ｂの揺動端の一部は、収納板３８の上方を通過してさらにその外側まで延びて形成されており、図１３に示すように、蓋部５０Ｂの揺動端寄りの裏面には、他方の機器側コネクタ４５が、嵌合面４７を外方に向けた姿勢で装着されている。
【００３１】
上記したように、ＥＣＵ１３と接続される２本のハーネスのうち、短い方のハーネスが樹脂プロテクタ３１の上部挿通部３２Ａに挿通され、その端末が、上部挿通部３２Ａの蓋部５０Ａに設けられた機器側コネクタ４５と接続される。詳細には、同ハーネスを構成する電線の各端末に接続された雄端子が、雄ハウジング４６に整列して収容された形態となっている。
一方の長い方のハーネスは、樹脂プロテクタ３１の上部挿通部３２Ａ、連絡部３３を通って下部挿通部３２Ｂに挿通され、その端末が、下部挿通部３２Ｂの蓋部５０Ｂに設けられた機器側コネクタ４５と接続されるようになっている。
なお、両ハーネスの他方の端末は、樹脂プロテクタ３１の上部挿通部３２Ａから突出したところで図示しない別のコネクタに接続されている。
【００３２】
各蓋部５０Ａ，５０Ｂには、同蓋部５０Ａ，５０Ｂを閉鎖状態にロックするロック手段が設けられている。このロック手段は、両蓋部５０Ａ，５０Ｂにおいて共通した構造であって、同ロック手段を初め、両蓋部５０Ａ，５０Ｂについて説明する場合には、適宜に蓋部５０として説明する。
【００３３】
図２に示すように、蓋部５０の上下の側縁部において、ロック部６０と位置決め部６５とが設定されている。ロック部６０は、図９に示すように、蓋部５０の上縁（同図の左側縁）に、カバー３６側に設けられた被ロック突部６３に弾性的に係止するロック片６１が設けられることで構成されている。ロック片６１の先端は、操作部６２として蓋部５０の上方に突出している。
位置決め部６５は、蓋部５０の下縁（図９の右側縁）に、カバー３６（下側では収納板３８）に設けられた嵌合突部６７が嵌る嵌合孔６６が設けられることで構成されている。蓋部５０における嵌合孔６６の形成位置には、上記したロック片６１の操作部６２と対向するようにして摘み部６８が形成されている。
【００３４】
蓋部５０が閉鎖されると、図９に示すように、位置決め部６５で位置決めされつつ、ロック片６１が被ロック突部６３に弾性的に係止することでロックされ、蓋部５０の閉鎖時には、図１及び図２に示すように、上側の機器側コネクタ４５については、収納板３８に収納されつつ、嵌合面４７が正面視で左側を向けて上部ブラケット１５Ａの底面１９Ａに沿った姿勢を採るようになっている。
下側の機器側コネクタ４５については、同じく収納板３８に収納されつつ、嵌合面４７が正面視で右側を向けて下部ブラケット１５Ｂの底面１９Ｂに沿った姿勢を採るようになっている。
【００３５】
一方、図９に示す蓋部５０の閉鎖状態から、ロック片６１の操作部６２と摘み部６８との間に指を掛けて、ロック片６１を強制的に弾性撓みさせると、ロックが解除されるから、続いて手前側に引き上げることで蓋部５０を開放することができる。このとき、蓋部５０の裏面に装着された機器側コネクタ４５は、図１３に示すように、嵌合面４７がブラケット１５の底面１９と交差した斜め方向を向いた姿勢を採るようになっている。
【００３６】
続いて、コネクタ２５，４５の装着を含めた電池パックＢＰの組立手順の一例を説明する。
上下の各電池モジュール１０Ａ，１０Ｂについて、既述した要領により電池側ハーネス体２０Ａ，２０Ｂが形成され、手前側に引き出される。同電池モジュール１０Ａ，１０Ｂが２段に積み上げられ、ブラケット１５等を介して結合される。上段の電池モジュール１０Ａ，１０Ｂの上面にＥＣＵ１３が載置されて取り付けられる。
【００３７】
それとともに、ＥＣＵ側ハーネス体３０が組み立てられる。長短２本の各ハーネスの端末には、それぞれ機器側コネクタ４５が接続される。樹脂プロテクタ３１は、ベース３５とカバー３６、並びに両蓋部５０が開いた状態とされ、短い方のハーネスが上部カバー３６内に嵌められつつ、端末の機器側コネクタ４５が上側の蓋部５０Ａの裏面に装着される。一方、長い方のハーネスが上部カバー３６Ａ、連絡部カバー３６Ｃ及び下部カバー３６Ｂに亘って嵌められつつ、端末の機器側コネクタ４５が下側の蓋部５０Ｂの裏面に装着される。
【００３８】
そののち、上下のベース３５Ａ，３５Ｂをヒンジ部４０Ａ，４０Ｂから折り返し、対応するカバー３６Ａ，３６Ｂの開口を閉じて結合するとともに、両蓋部５０Ａ，５０Ｂを閉じて閉鎖状態に一旦ロックする。それとともに、長短両ハーネスにおける上部挿通部３２Ａから突出した端末に、ＥＣＵ１３との接続用の別のコネクタが設けられる。
これにより、ＥＣＵ側ハーネス体３０の組み立てが完了する。
【００３９】
このように組み立てられたＥＣＵ側ハーネス体３０は、電池モジュール１０Ａ，１０Ｂの手前側の側面１１に配されたブラケット１５の底面１９に、図２に示す姿勢で配され、接着等により固定される。一方、両ハーネスの他方の端末に接続されたコネクタは、ＥＣＵ１３の接続口に設けられたコネクタと嵌合され、図２０に示すように、嵌合部分の回りが別の樹脂プロテクタ３１で覆われる。
【００４０】
ＥＣＵ側ハーネス体３０がブラケット１５の底面１９上に固定された場合、図１及び図２に示すように、樹脂プロテクタ３１における上部挿通部３２Ａが上部ブラケット１５Ａの底面１９Ａにおける右側壁１６Ａに寄った位置に配され、同上部挿通部３２Ａの蓋部５０Ａの裏面に設けられた機器側コネクタ４５は、その嵌合面４７が図２の左側を向いた姿勢を採っている。機器側コネクタ４５の嵌合面４７と、上部ブラケット１５Ａの左側壁１７Ａとの間には、所定幅の収納スペース１８Ａが確保されている。
一方、樹脂プロテクタ３１における下部挿通部３２Ｂが下部ブラケット１５Ｂの底面１９Ｂにおける左側壁１６Ｂに寄った位置に配され、同下部挿通部３２Ｂの蓋部５０Ｂの裏面に設けられた機器側コネクタ４５は、その嵌合面４７が同図の右側を向いた姿勢を採っている。同機器側コネクタ４５の嵌合面４７と、下部ブラケット１５Ｂの右側壁１７Ｂとの間には、所定幅の収納スペース１８Ｂが確保されている。
【００４１】
機器側コネクタ４５に対応する電線側コネクタ２５を嵌合する場合は、以下のようにして行う。
図２及び図９に示す状態から、閉鎖されていた蓋部５０Ａ，５０Ｂのロックを外し、具体的にはロック片６１の操作部６２と、対向して設けられた摘み部６８との間に指を掛けて、ロック片６１を強制的に弾性撓みさせることによりロックが解除されるから、摘んだまま手前に引くことで、図１３に示すように、蓋部５０Ａ，５０Ｂはヒンジ部５１を中心に揺動して開放される（嵌合位置）。嵌合位置では、上側の蓋部５０Ａの裏面に装着された機器側コネクタ４５は、嵌合面４７が正面視で左斜め手前側を向いた斜め姿勢（任意角度）を採り、一方、下側の蓋部５０Ｂの裏面に装着された機器側コネクタ４５は、嵌合面４７が正面視で右斜め手前側を向いた斜め姿勢（任意角度）を採ることが可能となる。
【００４２】
蓋部５０が開かれて機器側コネクタ４５が斜め姿勢を採れるようになったら、上側の電池側ハーネス体２０Ａが、その垂下端が上部ブラケット１５Ａの底面１９Ａから手前側に向けて離間するような斜め姿勢で引き出された上で、図１７及び図１８に示すように、同垂下端に設けられた電線側コネクタ２５が、上部ブラケット１５Ａの手前側のスペースを利用して、相手の上側の機器側コネクタ４５と嵌合される。
下側の電池側ハーネス体２０は、同じように、その立ち上がり端が下部ブラケット１５Ｂの底面１９Ｂから手前側に向けて離間するような斜め姿勢で引き出された上で、同立ち上がり端に設けられた電線側コネクタ２５が、下部ブラケット１５Ｂの手前側のスペースを利用して、相手の下側の機器側コネクタ４５と嵌合される。
【００４３】
対をなすコネクタ２５，４５同士の嵌合が終了したら、図２０に示すように、電池側ハーネス体２０Ａ，２０Ｂがそれぞれ収納スペース１８Ａ，１８Ｂに収められつつ、上下の蓋部５０Ａ，５０Ｂがそれぞれヒンジ部５１を中心に揺動して閉鎖され、ロック部６０により閉鎖状態にロックされる。両蓋部５０が閉鎖位置（装着位置）でロックされると、各蓋部５０の裏面側において、互いに嵌合された一対のコネクタ２５，４５が、ブラケット１５の底面１９に沿った姿勢に配された形態となる。これにより、電圧検知手段が構築される。
すなわち、電圧検知手段を構成するべく互いに嵌合された機器側コネクタ４５と電線側コネクタ２５とは、ＥＣＵ側ハーネス体３０、電池側ハーネス体２０ともども、電池モジュール１０の手前側の側面１１に設けられた狭いブラケット１５内において、同ブラケット１５の底面１９に概ねべた当たりした形態で装着される。
【００４４】
本実施形態によれば、以下のような数々の効果を得ることができる。
本実施形態では、ＥＣＵ１３から引き出された機器側コネクタ４５と、電池モジュール１０Ａ，１０Ｂから引き出された電線側コネクタ２５とが嵌合接続されることで、電圧検知手段が構築されるが、互いに嵌合された機器側コネクタ４５と電線側コネクタ２５とは、ＥＣＵ側ハーネス体３０、電池側ハーネス体２０ともども、電池モジュール１０の一側面１１に配された狭いブラケット１５内において、同ブラケット１５の底面１９に概ねべた当たりした形態で装着され、結果、電池パックＢＰ全体がコンパクトに纏められる。
両コネクタ２５，４５を嵌合、装着する工程は、蓋部５０を開放して機器側コネクタ４５をブラケット１５の底面１９と交差した斜め姿勢にして、その嵌合面４７をブラケット１５の底面１９から適宜距離離間した位置に持ち来し、ブラケット１５の手前側のスペースを利用して、機器側コネクタ４５に対して相手の電線側コネクタ２５を嵌合し、そののち蓋部５０を閉鎖することで、両コネクタ２５，４５が嵌合された状態でブラケット１５の底面１９に沿って配される。すなわち、コネクタ２５，４５の嵌合、装着作業も簡単に行うことができる。
【００４５】
本実施形態の機器側コネクタ４５は、ＥＣＵ１３から引き出されたワイヤハーネスの端末に接続された形態において、ＥＣＵ側ハーネス体３０を介してブラケット１５の底面１９上に配されている。具体的には、ＥＣＵ側ハーネス体３０には、ワイヤハーネスが挿通されかつブラケット１５の底面１９上に配される樹脂プロテクタ３１が備えられるとともに、同樹脂プロテクタ３１にヒンジ部５１を介して揺動開閉可能な蓋部５０が設けられて、同蓋部５０に機器側コネクタ４５が保持された構造となっており、蓋部５０の開閉に伴い嵌合位置と装着位置との間の移動が達成されるようになっている。コネクタ２５，４５の嵌合、装着部分の構造がシンプルに纏まったものとなる。
【００４６】
特に蓋部５０は、機器側コネクタ４５の後方に位置する後縁に設けられたヒンジ部５１を中心として装着位置と嵌合位置との間で揺動可能に設けられているから、比較的小さな揺動角度で揺動させることにより、機器側コネクタ４５を相手の電線側コネクタ２５と嵌合可能な位置に持ち来すことができる。そのため、両コネクタ２５，４５を嵌合させるために必要となるブラケット１５の手前側のスペースを小さく留めることができる。
【００４７】
樹脂プロテクタ３１が、平板状のベース３５と、同ベース３５に着脱可能に被着される門形断面のカバー３６とから構成され、このカバー３６に蓋部５０が開閉可能に設けられた構造となっている。
ベース３５とカバー３６とが分割できることにより、ワイヤハーネスの挿通が簡単にでき、さらに蓋部５０が開閉できることで、機器側コネクタ４５を蓋部５０へ装着する動作がより簡単にできる。
【００４８】
機器側コネクタ４５を保持した蓋部５０には、蓋部５０を閉鎖状態にロックし、かつロック解除可能なロック部６０が付設されている。ロック解除して蓋部５０を開放することで両コネクタ２５，４５の嵌合が可能となり、蓋部５０を閉鎖してロックすることにより、嵌合された両コネクタ２５，４５が、自ずからブラケット１５の底面１９に沿って装着された状態となる。コネクタ２５，４５の嵌合、装着作業がきわめて簡単に行われる。
【００４９】
＜他の実施形態＞
本明細書によって開示される技術は上記記述及び図面によって説明した実施形態に限定されるものではなく、次のようなものも技術的範囲に含まれる。
（１）機器側コネクタを保持した蓋部（コネクタ保持部）の揺動構造として、上記実施形態では、機器側コネクタの後方に位置する蓋部の後縁に設けたヒンジ部、いわゆる縦軸を中心に揺動可能に設けたのであるが、これに代わり、機器側コネクタの側方に位置する蓋部の側縁に設けたヒンジ部、すなわち横軸を中心として装着位置と嵌合位置との間で揺動可能に設けられた構造としてもよい。
【００５０】
この構造では、相手の電線側コネクタと嵌合可能とするべく、機器側コネクタの嵌合面の全面を、ブラケットの底面から手前に離間させるためには、例えば機器側コネクタがブラケットの底面と直角姿勢をなすように、蓋部を９０度といった大きな角度揺動させる必要があり、上記実施形態に例示したように、機器側コネクタを斜めに跳ね上げれば足りるものと比べると、両コネクタを嵌合させるために必要なブラケットの手前側のスペースを、少し余分に採ることになる。
その反面、ＥＣＵから引き出されて機器側コネクタに接続されたワイヤハーネスの端末について、同ワイヤハーネスの端末を屈曲させて機器側コネクタの後面に沿うように配索しておくことにより、蓋部を揺動させた場合にも、機器側コネクタの後面に沿って配索されたワイヤハーネスの端末を、機器側コネクタと一体的に揺動させることができ、そのためワイヤハーネスの端末に余長を設ける必要がない、といった利点が得られる。
【００５１】
（２）蓋部は樹脂プロテクタとは別体に形成され、後付けによって揺動可能に設けられる構造であってもよい。
（３）上記実施形態では、樹脂プロテクタに備えた蓋部をコネクタ保持部として適用したが、樹脂プロテクタとは別物としてコネクタ保持部を設けるようにしてもよい。
（４）コネクタ保持部は、嵌合位置に移動した場合に仮ロックできるようになっていてもよい。
（５）上記実施形態では、樹脂プロテクタがベースとカバーとから構成されている場合を例示したが、一体物として形成されていてもよい。
【００５２】
（６）上記実施形態では、機器の一面である装着面上において機器側コネクタと電線側コネクタとの嵌合スペースを確保できない要因として、ブラケットが配されている場合を例示したが、装着面上にコネクタ同士の嵌合の邪魔になる突部が設けられている等、嵌合阻害要因は不問である。
【符号の説明】
【００５３】
１０，１０Ａ，１０Ｂ…電池モジュール（機器）
１５，１５Ａ，１５Ｂ…ブラケット
１９，１９Ａ，１９Ｂ…（ブラケットの）底面（機器の一面）
２０，２０Ａ，２０Ｂ…電池側ハーネス体
２５…電線側コネクタ
３０…ＥＣＵ側ハーネス体
３１…樹脂プロテクタ
３５，３５Ａ，３５Ｂ…ベース
３６，３６Ａ，３６Ｂ…カバー
４５…機器側コネクタ
４７…（機器側コネクタ４５の）嵌合面
５０，５０Ａ，５０Ｂ…蓋部（コネクタ保持部）
５１…ヒンジ部（ヒンジ；軸）
６０…ロック部
【図１】
0006459876.tif 000002
【図２】
0006459876.tif 000003
【図３】
0006459876.tif 000004
【図４】
0006459876.tif 000005
【図５】
0006459876.tif 000006
【図６】
0006459876.tif 000007
【図７】
0006459876.tif 000008
【図８】
0006459876.tif 000009
【図９】
0006459876.tif 000010
【図１０】
0006459876.tif 000011
【図１１】
0006459876.tif 000012
【図１２】
0006459876.tif 000013
【図１３】
0006459876.tif 000014
【図１４】
0006459876.tif 000015
【図１５】
0006459876.tif 000016
【図１６】
0006459876.tif 000017
【図１７】
0006459876.tif 000018
【図１８】
0006459876.tif 000019
【図１９】
0006459876.tif 000020
【図２０】
0006459876.tif 000021
【図２１】
0006459876.tif 000022